(57)【要約】【課題】アドレス帳処理方法、記憶媒体、及び、通信装置を提供する。【解決手段】アドレス帳処理方法であって、複数の通信端末と通信する第一通信端末で実行する。複数の通信端末は、それぞれ、複数の通信端末識別コードに対応する。第一通信端末は、アドレス帳を有する。まず、アドレス帳に、規則を保存し、複数の通信端末識別コードの第一集合を表示する。第一集合の複数の通信端末識別コードは、複数の文字相同を有する。続いて、第一通信端末識別コードを取得する。第一通信端末識別コードが、上述の規則に符合するかどうかを判断し、第一通信端末識別コードが第一集合に属するかを決定する。【選択図】図３
2006157838.tif 000002
【特許請求の範囲】
【請求項１】
有限資源の通信装置に用いられるアドレス帳処理方法であって、複数の通信端末と通信する第一通信端末で実行され、前記複数の通信端末は、それぞれ、複数の通信端末識別コードと対応し、前記通信端末は、アドレス帳を有し、
前記アドレス帳に規則を保存し、複数の文字相同を有する前記複数の通信端末識別コードの第一集合を表示する工程と、
第一通信端末識別コードを取得する工程と、
前記第一通信端末識別コードが、前記規則に符合するかどうか判断し、前記第一通信端末識別コードが、前記第一集合に属するかを決定する工程と、
からなることを特徴とする方法。
【請求項２】
前記第一集合は、前記複数の通信端末識別コードである複数の電話番号を含むことを特徴とする請求項１に記載の方法。
【請求項３】
前記第一通信端末が、通信チャネルの構築を求められる時、前記第一通信端末識別コードを取得することを特徴とする請求項１に記載の方法。
【請求項４】
前記第一通信端末がメッセージを受信する時、前記第一通信端末識別コードを取得することを特徴とする請求項１に記載の方法。
【請求項５】
前記アドレス帳は、ユーザー名を含んで、前記規則に対応し、その方法は更に、
前記第一通信端末識別コードが前記規則に符合するとき、前記ユーザー名を表示することを特徴とする請求項１に記載の方法。
【請求項６】
前記規則はユーザー名に対応し、前記第一通信端末は、指定情報を有して、前記第一集合中の通信端末識別コードが、前記ユーザー名の所定の通信端末識別コードであるよう指定し、前記方法は、更に、
前記第一通信端末が、前記ユーザー名に基づいて、通信作業を初期化する時、前記規則、及び、前記指定情報を利用して、前記所定の通信端末識別コードを生成する工程と、
前記所定通信端末識別コードを、前記通信作業の目的通信端末識別コードとすることにより、前記通信作業を実行する工程と、
からなることを特徴とする請求項１に記載の方法。
【請求項７】
前記規則は、正規表現法に符合することを特徴とする請求項１に記載の方法。
【請求項８】
前記規則は、通信端末識別コードの二つの異なるしきい値を有し、前記二つのしきい値の間の複数の通信端末識別コードを表示することを特徴とする請求項１に記載の方法。
【請求項９】
前記規則は、始めの通信端末識別コード、及び、正の整数を含み、前記始めの通信端末識別コードを界とする連続した複数の通信端末識別コードを表示し、且つ、前記第一集合の通信端末識別コードの数目は、前記正の整数に等しいことを特徴とする請求項１に記載の方法。
【請求項１０】
前記規則は、通信端末識別コードの前段を含むことを特徴とする請求項１に記載の方法。
【請求項１１】
前記規則は、国番号を含む通信端末識別コードを表示することを特徴とする請求項１に記載の方法。
【請求項１２】
コンピュータプログラムを保存する記憶媒体であって、前記コンピュータプログラムは、有限資源の通信装置にロードされると共に、請求項１〜１１の通信アドレス処理方法を実行することを特徴とする記憶媒体。
【請求項１３】
有限資源の通信装置であって、複数の通信装置と通信することができ、前記複数の通信装置は、それぞれ、複数の通信端末識別コードに対応し、前記通信装置は、
規則を保存し、前記規則は、前記複数の通信ン端識別コードの第一集合を表示し、前記第一集合の複数の通信端末識別コードは、複数の文字相同を有するアドレス帳と、
第一通信端末識別コードを取得する信号処理ユニットと、
前記第一通信端末識別コードが、前記規則に符合するかどうか判断し、前記第一通信端末識別コードが、前記第一集合に属するかを決定する照合器と、
からなることを特徴とする装置。
【請求項１４】
前記第一集合は、前記複数の通信端末識別コードである複数の電話番号を含むことを特徴とする請求項１３に記載の装置。
【請求項１５】
前記第一通信装置が、通信チャネルの構築を求められる時、前記信号処理ユニットは、前記第一通信端末識別コードを取得することを特徴とする請求項１３に記載の装置。
【請求項１６】
前記第一通信装置がメッセージを受信する時、前記信号処理ユニットは、前記第一通信端末識別コードを取得することを特徴とする請求項１３に記載の装置。
【請求項１７】
前記アドレス帳は、ユーザー名を含んで、前記規則に対応し、且つ、前記有限資源の通信装置は、ディスプレイユニットを有し、前記第一通信端末識別コードが前記規則に符合するとき、前記ディスプレイユニットは、前記ユーザー名を表示することを特徴とする請求項１３に記載の装置。
【請求項１８】
前記有限資源の通信装置は伝送器を有し、前記アドレス帳は、ユーザー名を含んで、前記規則に対応し、前記アドレス帳は、指定情報を含み、前記第一集合中の通信端末識別コードが前記ユーザー名の所定の通信端末識別コードであるように指定し、前記第一通信装置が、前記ユーザー名に基づいて、通信作業を初期化する時、前記信号処理ユニットは、前記規則、及び、前記指定情報を利用して、前記所定の通信端末識別コードを生成すると共に、前記伝送器は、前記所定通信端末識別コードを、前記通信作業の目的通信端末識別コードとすることにより、前記通信作業を実行することを特徴とする請求項１３に記載の装置。
【請求項１９】
前記規則は、正規表現法に符合することを特徴とする請求項１３に記載の装置。
【請求項２０】
前記規則は、通信端末識別コードの二つの異なるしきい値を有し、前記二つのしきい値の間の複数の通信端末識別コードを表示することを特徴とする請求項１３に記載の装置。
【請求項２１】
前記規則は、始めの通信端末識別コード、及び、正の整数を含み、前記はじめの通信端末識別コードを界とする連続した複数の通信端末識別コードを表示し、且つ、前記第一集合の通信端末識別コードの数目は、前記正の整数に等しいことを特徴とする請求項１３に記載の装置。
【請求項２２】
前記規則は、通信端末識別コードの前段を含むことを特徴とする請求項１３に記載の装置。
【請求項２３】
前記規則は、国番号を含む通信端末識別コードを表示することを特徴とする請求項１３に記載の装置。
【発明の詳細な説明】
【技術分野】
【０００１】
本発明は、通信技術に関するものであって、特に、アドレス帳処理方法に関するものである。
【背景技術】
【０００２】
現在の携帯電話のナンバーディスプレイ機能は、送信者の姓名（或いは、記号）を表示することができ、運用方式は、予め、通信端末識別コード、ユーザーネーム、及び、両者の対応関係を、アドレス帳に保存するものである。携帯電話が受信する時、送信者通信端末識別コード信号（コーラーＩＤ信号）と予め保存した通信端末識別コードにより照合する。アドレス帳中に、送信者識別コードに完全に符合する通信端末識別コードが存在する場合、この通信端末識別コードが対応するユーザーネームを送信者姓名として表示する。アドレス帳中に、送信者の識別コードに完全に符合する通信端末識別コードが存在しない場合、この送信者識別コードを表示する。一般のユーザーは、通信端末識別コードを記憶していないし、送信者を識別するのは困難である。よって、通信端末識別コードをそのまま表示するのは、送信の選別には向いていない。
【０００３】
あるユーザー単位、例えば、中小企業なら、連続した電話番号ブロックを使用し、例えば、２７３９９６１０〜２７３９９６１９の１０の番号である。このユーザー単位は、ランダム方式により、上述の１０個の中の一つを発信する（例えば、構内交換機ＰＢＸを使用する時）。通常、上述の１０線中の一線は、会社の代表番号で、例えば、社員の名刺上に印刷されているものである。しかし、携帯電話のアドレス帳に、代表番号だけが保存されている場合、１０線のどれか一線からの送信時、送信者識別コードに符合しないかもしれない。この問題を回避するためには、上述の１０線の通信端末識別コードを、携帯電話のアドレス帳に入力する必要がある。しかし、手で、１０線もの類似した通信端末識別コードを入力するのは、ユーザーにとって、非常に面倒で、記憶空間も占有する。
【０００４】
よって、通信アドレス処理方法で、上述の問題を解決する必要がある。
【発明の開示】
【発明が解決しようとする課題】
【０００５】
本発明は、通信アドレス処理方法を提供し、アドレス帳に規則を保存して、通信端末識別コードの列挙を代替する。
【課題を解決するための手段】
【０００６】
上述の目的に基づいて、本発明の通信アドレス処理方法は、複数の通信端末と通信する第一通信端末で実行する。複数の通信端末は、それぞれ、複数の通信端末識別コードと対応する。第一通信端末は、アドレス帳を有する。まず、アドレス帳に、規則を保存し、複数の通信端末識別コードの第一集合を表示する。第一集合の複数の通信端末識別コードは、複数の文字相同を有する。続いて（例えば、第一通信端末が受信する時）、第一通信端末識別コードを取得する。第一通信端末識別コードが、上述の規則に符合するかどうかを判断し、第一通信端末識別コードが第一集合に属するかを決定する。
【０００７】
通信アドレス処理方法は、プログラムを利用して実現可能で、例えば、メモリ、或いは、メモリ装置等の記憶媒体に記録し、プログラムが、通信装置にロードされる時、通信アドレス処理方法を実行する。
【０００８】
この他、以下の実施例では、通信端末を提供し、複数の通信端末と通信し、且つ、アドレス帳、信号処理ユニット、及び、照合器を有する。複数の通信端末は、それぞれ、複数の通信端末識別コードと対応する。アドレス帳は、規則を保存するのに用いられ、複数の通信端末識別コードの第一集合を表示する。第一集合の複数の通信端末識別コードは、複数の文字相同を有する。信号処理ユニットは、第一通信端末識別コードを得るのに用いられる。照合器は、第一通信端末識別コードが、上述の規則に符合するかどうかを判断し、第一通信端末識別コードが第一集合に属するかを決定する。
【発明の効果】
【０００９】
本発明により、掲示されるアドレス帳処理方法は、規則をアドレス帳に保存することにより、通信端末識別コードを列挙するのを代替すると共に、通信端末識別コードを列挙する時に生じる不便を改善することが出来る。
【発明を実施するための最良の形態】
【００１０】
アドレス帳処理方法の実施例は、マルチラインを有するユーザーの送信識別を改善する。アドレス帳処理方法は、通信端末により実施し、その作業は、ハッシュ関数と類似していて、まず、送信者識別コードを受信すると共に、符合するユーザー名を生成するか、或いは、無符合であることを告知する。
【００１１】
図１Ａは、通信システムの実施例を示す図である。通信端末１０、及び、複数の通信端末５０は、有線、或いは、ワイヤレスの方式で、通信ネットワーク６に結合する。通信端末１０は、ワイヤレス電話子機、或いは、ワイヤレス通信機能を有する手持装置等の有限資源通信装置で、例えば、ＰＤＡである。グループ５は、複数の通信端末５０を有する。例えば、グループ５は、ユーザーユニットが使用する複数の電話である。通信端末１０と通信端末５０は、互いに、電話を通じたり、メッセージを送受信したりする。複数の通信端末中、二つの情況が生じる。情況１：各通信端末は、どれも、一つの通信端末識別コードに対応し、且つ、異なる通信端末は、それぞれ、異なる通信端末識別コードに対応する。情況２：各終端は、固定された通信端末識別コードに、不定で対応することも出来（例えば、通信システムの複数の通信端末は、図１Ｂで示されるＰＢＸ７により、通信ネットワークに連接される）、複数の通信端末の中の一つが電話を掛ける時、自動設定されて、マルチ通信端末識別コードの集合中の任意の識別コードを使用する。以下では、通信端末識別コードが、電話番号を例としているが、コレに限定するものではない。グループ５は、第一通信端末識別コードの集合に対応し、複数の電話番号を含んでいる。
【００１２】
図２は、通信端末の実施例のロジック構造を示す図である。通信端末１０中、照合器２２はアドレス帳３１、ディスプレイユニット２３、信号処理ユニット１２に連結される。信号処理ユニット１２は、受信器１１、及び、送信器１３に連結される。アドレス帳３１は、編集ユニット２１に連結される。
【００１３】
アドレス帳３１は、複数のユーザー名を保存し、複数の通信端末識別コードの規則、及び、ユーザー名と規則の対応関係を表示する。図２で示されるように、アドレス帳３１中、各エントリは、規則とユーザー名を有し、例えば、エントリ４０は、規則Ｒ１と対応するユーザー名Ｎ１を有する。規則Ｒ１は、グループ５中の複数の通信端末５０の複数の電話番号を表示し、即ち、第一通信端末識別コードの集合である。
【００１４】
規則は、通信端末識別コードの集合を表示するのに用いられ、多種方式で実施され、以下で説明する。
【実施例】
【００１５】
実施例１：規則は正規表現により、通信端末識別コードの連続範囲を表示する。例えば、ある規則は、２７３９９６１［６−９］で、電話番号２７３９９６１６〜２７３９９６１９を表示し、括弧“［  ］”は、文字の任意の一つを表示し、“６〜９”は、６〜９の全部で４つの数字を表す。上述の電話番号２７３９９６１６〜２７３９９６１９中、各電話番号の前７つは相同で、この規則は、最後の一つ番号の変化範囲のみを記録する。
【００１６】
実施例２：規則は、通信端末識別コードの前段（プレフィックス）、及び、複数の後段の数字を有し、前段が、それぞれ、後段の数字と組み合わされる全ての通信端末識別コードを表示する。規則は、“２７３９（９６１９｜９６１７｜９６１８｜９６１９）”と表示することで、前段“２７３９”が、それぞれ、後段の数字“９６１９”  “９６１７”“９６１８”“９６１９”と組み合わさる電話番号２７３９９６１６〜２７３９９６１９を表示する。“｜”は、“ロジック”を示し、  “（９６１９｜９６１７｜９６１８｜９６１９）”  は、“９６１９”  “９６１７”“９６１８”“９６１９”を示す。
【００１７】
実施例３：時に、電話番号前に、国番号をつける情況があるが、正規表現の規則を利用して描写することが出来る。例えば、一つの電話番号が“０９１２３４５６７８”で、国番号を加えた後の番号が、“８８６９１２３４５６７８”或いは、“＋８８６９１２３４５６７８”である。通信端末１０が、この電話番号を受信する時、信号処理ユニット１２が取得する送信番号は、恐らく“０９１２３４５６７８”、“８８６９１２３４５６７８”或いは、“＋８８６９１２３４５６７８”である。即ち、“＋”、国番号“８８６”及び“０”が、上述の取得した送信番号中に出現するとは限らない。規則で（（＋）？８８６）？０？９１２３４５６７８により、可能な送信番号を表示し、“？”は、その前の一つの文字、或いは、“（  ）”が包括する文字が、一度、或いは、ゼロ回出現するのを表示する。
【００１８】
実施例４：規則は、二つの通信端末識別コードにより、その間を介する通信端末識別コードの範囲を表示する。つまり、上述の二つの通信端末識別コードは、上述の範囲の二つの異なるしきい値である。例を挙げると、上述の規則は、［２７３９９６１６、２７３９９６１９］を表示し、電話番号２７３９９６１６〜２７３９９６１９を表示し、２７３９９６１６、及び、２７３９９６１９は、それぞれ、上述の規則が表示する範囲中の始めと終わりの電話番号である。
【００１９】
実施例５：規則は、一つの通信端末識別コード、及び、正の整数により、上述の始めの通信端末識別コードと界とする連続した複数の通信端末識別コード、正の整数が表示する上述の連続した通信端末識別コードの数目を表示する。例を挙げると、上述の規則は、［２７３９９６１６、４］を表示し、２７３９９６１６を始めとする連続した四つの電話番号２７３９９６１６〜２７３９９６１９を表示し、２７３９９６１６は、始めの電話番号で、“４”は上述の規則の表示範囲の電話番号の個数を表示する。また、同類の変化型の実施方式は、上述の規則が［４、２７３９９６１９］を表示し、２７３９９６１９を“終わり”とする連続した四つの電話番号２７３９９６１９、２７３９９６１８、２７３９９６１７、２７３９９６１６を表示し、２７３９９６１９は終わりの電話番号で、“４”は、上述の規則の表示範囲の電話番号の個数を表示する。
【００２０】
上述の実施例の説明により、規則が通信端末識別コードと異なることが分かる。規則Ｒ１が第一通信端末識別コードの集合を表示する時、規則Ｒ１を描写するのに必要な文字数は、通常、第一通信端末識別コード集合の全通信端末識別コードが必要な文字数より少なくできる。その原因は、前記第一通信端末識別コード集合の複数の通信端末識別コードは、複数の文字相同を有するからである。編集ユニット２１は、容易に操作できる入力インターフェースを提供し、ユーザーは通信端末識別コードの集合の規則を入力できる。
【００２１】
通信端末１０が、通信作業を要求される時、例えば、通信チャネルを構築する時、或いは、メッセージを受信する時、通信作業の来源端の通信端末識別コードを取得すると共に、アドレス帳３１中の複数のエントリ中の規則に基づいて、照合する。符合するものがあれば、通信端末１０は、ビジュアル、オーディオ信号、人類の感官感知方式、或いは、その他の方式により、来源端の通信端末識別コードが符合するアドレス帳３１記録の規則を表示する。以下は、通信端末１０が受信するのを例とする。
【００２２】
図３は、本発明のアドレス帳処理方法の実施例のフローチャートである。通信端末１０の受信器１１は、受信する（工程２）。信号処理ユニット１２が、送信の信号中に含まれる送信端末識別コードを取得する（工程４）。照合器２２が、送信端末識別コードが、アドレス帳３１中の規則に符合するかどうか判断する（工程６）。もし、符合しなければ、送信端末識別コードがディスプレイユニット２３に表示される（工程８）。もし符合すれば、例えば、上述の送信端末識別コードがエントリ４０中の規則Ｒ１に符合し、照合器２２は、送信端末識別コードが属する規則Ｒ１が代表する通信端末識別コードの集合を判定する（工程１０）。ディスプレイユニット２３は、規則Ｒ１が対応するユーザー名Ｎ１を表示する（工程２１）。
【００２３】
アドレス帳３１は、指定情報４３を有し、上述の規則Ｒ１が対応する第一通信端末識別コードの集合中の一者を、前記通信ユーザー名Ｎ１が対応する所定通信端末識別コードに指定する。例を挙げると、指定情報４３は、上述の集合中の完全な電話番号である。上述の実施例の情況からいうと、所定の通信端末識別コードが“２７３９９６１６”である場合、指定情報４３は、“６”で、規則“２７３９６１［６−９］”が表示する通信端末識別コードの範囲中、最後の番号が“６”の“２７３９９６１６”が、所定の通信端末識別コードであることを指示する。上述の実施例２の説明から、指定情報４３は“９６１６”で、規則“２７３９（９６１９｜９６１７｜９６１８｜９６１９）”が表示する通信端末識別コードの範囲中、後段の数字が“９６１６”である“２７３９９６１６”が、所定の通信端末識別コードであることを指示する。上述の実施例４と５において、指定情報４３も、正の整数用で、所定の通信端末識別コードが、上述の規則が表示する範囲の順序であるように指定する。
【００２４】
図４は、電話を掛ける時の操作実施例のフローチャートである。通信端末１０が、アドレス帳３１のあるユーザー名に基づいて、通信作業を初期化する時（工程２０）、このユーザー名の対応する規則、及び、指定情報を利用して、このユーザー名が対応する所定の通信端末識別コードを生成する（工程２２）。例えば、上述の第一通信端末は、ユーザー名Ｎ１に基づいて、電話を掛ける、或いは、メッセージを発信する時、信号処理ユニット１２は、このユーザー名Ｎ１が対応する規則Ｒ１、及び、指定情報４３を利用して、対応する所定通信端末識別コードを生成する。通信端末１０は、上述の所定通信端末識別コードを、通信作業の目的通信端末識別コードとすることにより、通信作業を実行し（工程２４）、例えば、伝送器１３は、上述の所定通信端末識別コードを、目的通信端末識別コードとすることにより、電話を掛けたり、メッセージを発信したりする。
【００２５】
図５は、規則入力操作の実施例のフローチャートである。まず、編集ユニット２１は、例えば、通信端末識別コード集合中の始め、或いは、終わりの通信端末識別コードである第一通信端末識別コードを取得する（工程４０）。しかし、注意すべきことは、工程４０中、編集ユニット２１も、通信端末識別コードの一部分を取得することである。続いて、編集ユニット２１は、例えば、工程４０中で取得する第一通信端末識別コードとは異なるもう一つの通信端末識別コード、第一通信端末識別コードとは異なる後段の数字とは異なるもう一つの後段の数字、或いは、実施例５中の通信端末識別コードの数目を表示する正の整数など、範囲定義情報を取得する（工程４２）。工程４０中で取得した通信端末識別コードの一部分で、上述の部分は、工程４２の範囲定義情報と結合して、一段の識別コード範囲を描写する。前記第一通信端末識別コード、及び、範囲定義情報を利用して、第二通信端末識別コードを規範する。編集ユニット２１は、一つ、或いは、一つ以上の国番号を取得し（工程４４）、国番号の処理は無視してもよい。最後に、編集ユニット２１は、取得した上述の第一通信端末識別コード、範囲定義情報、及び、国番号に基づいて、規則を自動生成し、第二通信端末識別コードの集合に対応する（工程４６）と共に、アドレス帳３１に保存する（工程４８）。この他、編集ユニット２１も、上述の指定情報を受信することが出来る。
【００２６】
以下は、コンピュータプログラムを保存するコンピュータ読み取り可能な記憶媒体を説明する。コンピュータプログラムは、アドレス帳処理方法を実現する。この方法は、上述の工程を実行する。
【００２７】
図６は、上述のアドレス帳処理方法に基づいた、有限資源の通信装置（ＰＤＡや携帯電話）から読み取る記憶媒体の実施例を示す。この記憶媒体６０は、コンピュータプログラム６２０を保存するのに用いられ、アドレス帳処理方法を実現する。コンピュータプログラムは、三つのロジックを含み、それぞれ、照合ロジック６２１、通信作業起動ロジック６２２、規則編集ロジック６２３である。
【００２８】
照合ロジック６２１は、上述の通信端末識別コードと規則の照合を実行する。通信作業起動ロジック６２２は、規則と指定情報に基づいて、所定通信端末識別コードを生成する。規則編集ロジック６２３は、規則入力インターフェースを提供し、規則の必要な情報（例えば、通信端末識別コード、範囲定義情報、及び、国番号）を生成すると共に、規則を生成する。
【００２９】
これにより、掲示されるアドレス帳処理方法は、規則をアドレス帳に保存することにより、通信端末識別コードを列挙するのを代替すると共に、通信端末識別コードを列挙する時に生じる不便を改善する。
【００３０】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。
【図面の簡単な説明】
【００３１】
【図１Ａ】通信システムの実施例を示す図である。
【図１Ｂ】通信システムの実施例を示す図である。
【図２】通信端末の実施例の構造を示す図である。
【図３】アドレス帳処理方法の実施例のフローチャートである。
【図４】電話を掛ける時の操作実施例のフローチャートである。
【図５】規則入力操作の実施例のフローチャートである。
【図６】アドレス帳処理方法に従ったコンピュータ読み取り可能記憶媒体の実施例を示す図である。
【符号の説明】
【００３２】
５    グループ
１０  通信端末
１１  受信器
１２  信号処理ユニット
１３  伝送器
２１  編集ユニット
２２  照合器
２３  ディスプレイユニット
３１  アドレス帳
４０  エントリ
４２  エントリ
４３  指定情報
５０  通信端末
６２１  照合ロジック
６２２  通信作業起動ロジック
６２３  規則編集ロジック
【図１Ａ】
2006157838.tif 000003
【図１Ｂ】
2006157838.tif 000004
【図２】
2006157838.tif 000005
【図３】
2006157838.tif 000006
【図４】
2006157838.tif 000007
【図５】
2006157838.tif 000008
【図６】
2006157838.tif 000009